(57)【要約】  【課題】長靴下を吊り上げるだけでなく、装着することで骨盤の歪みの矯正等を行うこともできる長靴下吊り具を提供する。  【解決手段】長靴下吊り具１は、人体の腰回りに装着される腰回り輪１０ａと、片脚の太腿回りに装着される太腿回り輪１０ｂとを有し、腰回り輪１０ａと太腿回り輪１０ｂとが一繋がりにつながった牽引紐１０と、太腿回り輪１０ｂに設置された、長靴下の開口縁部に着脱可能に固定される長靴下留め具３０と、腰回り輪１０ａと太腿回り輪１０ｂとの境界において、牽引紐１０が全体として略８の字形となるように、牽引紐１０が交差した状態で連結する交差連結具２０と、を備える。【選択図】図１
2017014637.tif 000002
【特許請求の範囲】
【請求項１】
左右何れかの片脚に装着された長靴下を吊り上げる片脚用の長靴下吊り具において、
人体の腰回りに装着される腰回り輪と、前記片脚の太腿回りに装着される太腿回り輪とを有し、前記腰回り輪と前記太腿回り輪とが一繋がりにつながった牽引紐と、
前記太腿回り輪に設置された、前記長靴下の開口縁部に着脱可能に固定される長靴下留め具と、
前記腰回り輪と前記太腿回り輪との境界において、前記牽引紐が全体として略８の字形となるように、前記牽引紐が交差した状態で連結する交差連結具と、
を備えることを特徴とする長靴下吊り具。
【請求項２】
前記牽引紐は、前記腰回り輪の長さを調整する腰回り長さ調整具と、前記太腿回り輪の長さを調整する太腿回りの長さ調整具と、を備え、
前記長靴下留め具は、前記牽引紐に対してスライド可能に設置されていることを特徴とする請求項１記載の長靴下吊り具。
【発明の詳細な説明】
【技術分野】
【０００１】
本発明は、脚に装着された長靴下を吊り上げるために人体に装着される長靴下吊り具に関する。
【背景技術】
【０００２】
従来から、脚に装着されたガーターストッキング等の長靴下がずり落ちるのを防ぐために、長靴下の上部を挟んで吊り上げるガーターベルト等の長靴下吊り具が提供されている。
【０００３】
下記特許文献１には、ストッキングへの固定操作を片手で簡単に行うことのできるガーターベルトが開示され、下記特許文献２には、ガーターベルト機能の付いたショーツが開示されている。
【０００４】
一方、近年の健康志向により、大転子等の骨盤の所定の場所を圧迫することで、骨盤の歪み矯正を行うことが注目されている。
【先行技術文献】
【特許文献】
【０００５】
【特許文献１】登録実用新案第３１６１９２５号公報
【特許文献２】登録実用新案第３０９４６４９号公報
【発明の概要】
【発明が解決しようとする課題】
【０００６】
しかし、従来のガーターベルトは、単にガーターストッキングを吊り上げるためだけに装着され、骨盤の歪みを矯正する機能は全く備えていない。
【０００７】
本発明は、このような課題に鑑みてなされたものであり、長靴下を吊り上げるだけでなく、装着することで骨盤の歪みの矯正等を行うこともできる長靴下吊り具を提供することを目的とする。
【課題を解決するための手段】
【０００８】
上記課題を解決するための本発明に係る長靴下吊り具は、左右何れかの片脚に装着された長靴下を吊り上げる片脚用の長靴下吊り具において、人体の腰回りに装着される腰回り輪と、前記片脚の太腿回りに装着される太腿回り輪とを有し、前記腰回り輪と前記太腿回り輪とが一繋がりにつながった牽引紐と、前記太腿回り輪に設置された、前記長靴下の開口縁部に着脱可能に固定される長靴下留め具と、前記腰回り輪と前記太腿回り輪との境界において、前記牽引紐が全体として略８の字形となるように、前記牽引紐が交差した状態で連結する交差連結具と、を備えることを特徴とする。
【発明の効果】
【０００９】
本発明に係る長靴下吊り具を人体に装着すると、長靴下を吊り上げることができると共に、骨盤の歪みを矯正する等のために骨盤の所定の場所を圧迫することもできる。
【図面の簡単な説明】
【００１０】
【図１】図１は、本発明の実施形態に係るストッキング吊り具の斜視図である。
【図２】図２は、本発明の実施形態に係るガーターボストンの斜視図である。
【図３】図３は、本発明の実施形態に係るガーターボストンの側面図である。
【図４】図４は、本発明の実施形態に係るストッキング吊り具の装着状態を示す図である。
【図５】図５は、本発明の実施形態に係るストッキング吊り具の装着状態を示す図である。
【発明を実施するための形態】
【００１１】
まず、図面を参照しながら本発明の実施形態について説明する。本実施形態では、長靴下吊り具として、脚の太腿までの長さのガーターストッキングを吊り上げるストッキング吊り具を例に挙げて説明する。
【００１２】
図１は、本実施形態に係るストッキング吊り具の斜視図である。図２は、本実施形態に係るガーターボストンの斜視図である。図３は、本実施形態に係るガーターボストンの側面図である。図４及び図５は、本実施形態に係るストッキング吊り具の装着状態を示す図である。まず、本実施形態では、片脚用ストッキング吊り具１について説明する。
【００１３】
ストッキング吊り具１は、牽引紐１０と、牽引紐１０の所定の位置を交差させた状態で連結する交差連結具２０と、牽引紐１０の所定の位置に設置されたガーターボストン３０とを備えている。
【００１４】
牽引紐１０は、第一弾性紐１１と、第二弾性紐１２と、第一弾製紐１１と第二弾性紐１２とを一繋がりの環状の紐となるように連結するための2個の着脱留め具１５と、弾性紐１１，１２の長さを調節するための2個の長さ調整具１７とを備えている。第一弾性紐１１及び第二弾性紐１２は、ブラジャーの肩紐等として用いられている細いテープ状紐（弾性紐）である。このテープ状紐は、伸縮率が1.6倍と伸縮性の高い紐である。
【００１５】
着脱留め具１５は、プラスチックホックであり、第一弾性紐１１の一端に設置された鉤形ホックと、第二弾性紐１２の一端に設置された鉤形ホックとから構成される。第一の着脱留め具１５は、第一弾性紐１１の一端と第二弾性紐１２の一端とを着脱自在に連結し、第二の着脱留め具１５は、第一弾性紐１１の他端と第二弾性紐１２の他端とを着脱自在に連結する。
【００１６】
長さ調整具１７は、エイトカンであり、第一弾性紐１１と第二弾性紐１２の双方に、それぞれ着脱留め具１５に隣接して設置されている。長さ調整具１７に対してスライド可能な弾性紐１１，１２の固定場所を変えることで、弾性紐１１，１２の折り返されて二重になった部分の長さを調節し、牽引紐１０の長さを調整することができる。
【００１７】
交差連結具２０は、牽引紐１０が全体として略８の字形となるように、牽引紐１０の所定の部分を交差させた状態で連結する部材である。本実施形態では、交差連結具２０として、弾性紐１１，１２の幅よりも若干広い内幅（弾性紐１１，１２が通される部分の幅）のエイトカンを用いている。
【００１８】
交差連結具２０によって所定の位置が交差状態で重ねられた牽引紐１０は、全体として、大きい輪と小さい輪とが交差部分で連結された略８の字形となっている。この大きい輪の部分が装着時に腰回りに装着される腰回り輪１０ａとなり、小さい輪の部分が装着時に太腿回りに装着される太腿回り輪１０ｂとなる。
【００１９】
なお、交差連結具２０は、牽引紐１０を強く引っ張れば牽引紐１０に対してスライド可能設置されており、交差連結位置を調整することで、腰回り輪１０ａ及び太腿回り輪１０ｂの大きさを適宜調整可能である。また、上述した長さ調整具１７は、腰回り輪１０ａと太腿回り輪１０ｂの部分にそれぞれ1個ずつ設置されており、腰回り輪１０ａの長さ、太腿回り輪１０ｂの長さをそれぞれ独立して調整可能である。
【００２０】
ガーターボストン３０は、牽引紐１０の太腿回り輪１０ｂの所定の位置に3個固定設置されており、ガーターストッキング８の開口縁の所定の場所を着脱可能に挟み込んで固定する長靴下留め具である。牽引紐１０に固定されたガーターボストン３０によりガーターストッキング８の上端開口縁を挟み込むことで、牽引紐１０によってガーターストッキング８を吊り上げることができる。
【００２１】
ガーターボストン３０は、ヒンジ構造によって連結されたカン３１とベロ５０とを備え、カン３１とベロ５０とが重なり合った閉じた状態と所定の角度で開いた状態との間で開閉自在である。なお、本実施形態では、カン３１の長手方向を縦方向、ヒンジ構造の開閉軸（回動軸）方向を横方向とし、縦方向において、開閉軸側を根元側、開閉先端側を先端側とする。
【００２２】
カン３１は、周枠３２と、横棹３３と、ヒンジ軸３５と、横紐留め部４０とを備えている。周枠３２の内部には、周枠３２と横棹３３とにより囲まれた、後述するベロ５０の係合凸部５２を係止するための係止用穴３４が形成されている。係止用穴３４は、根元側に位置する挿入用幅広穴３４ａと、先端側に位置する係止用幅狭穴３４ｂとから構成されており、両者は連続してつながって一つの穴（係止用穴３４）を構成している。
【００２３】
ヒンジ軸３５は、横棹３３の根元側において、周枠３２に対して横方向に一体に設置された棒状部材である。横棹３３と、ヒンジ軸３５と、周枠３２の根元部分とによって囲まれた二つの穴は、後述するベロ５０のヒンジ部５７が係合するヒンジ用穴３６として機能する。なお、周枠３２、横棹３３及びヒンジ軸３５は、金属製であり、一体に形成されている。
【００２４】
横紐留め部４０は、牽引紐１０の太腿回り輪１０ｂにガーターボストン３０をスライド可能に固定するための部材であり、ガーターボストン３０に対して横方向に延在する牽引紐１０が摩擦により簡単には滑らないように留めている。
【００２５】
横紐留め部４０は、ガーターボストン３０の縦方向に延在する、第一縦桿４１、第二縦桿４２及び第三縦桿４３を備えており、第一縦桿４１及び第三縦桿４３は、周枠３２の一部が兼用されている。
【００２６】
第一縦桿４１と第二縦桿４２との間には、牽引紐１０を横方向に通すための第一紐挿通穴４４ａが形成され、第二縦桿４２と第三縦桿４３との間には、牽引紐１０を横方向に通すための第二紐挿通穴４４ｂが形成されている。
【００２７】
よって、横方向に延在する牽引紐１０を第一挿通穴４４ａ及び第二挿通穴４４ｂに通すと、牽引紐１０は、横紐留め部４０と三箇所（第一縦桿４１、第二縦桿４２、第三縦桿４３）で接触して摩擦力が作用するため、横方向に移動し難く、カン３１に対して簡単には滑らないように留めて固定することができる。
【００２８】
ベロ５０は、カン３１と略同じ大きさの樹脂製の部材であり、可撓性の帯状片５１と、帯状片５１の先端近傍のカン３１側の面上に形成された係合凸部５２と、帯状片５１の根元部分に形成されたヒンジ部５７とを備えている。
【００２９】
係合凸部５２は、カン３１の係止用穴３４に挿入されて係合する部分であり、先端側に位置する略円筒状で大径の頭部５３と、根元側（帯状片５１側）に位置する略円筒状で小径の首部５４とを備えている。頭部５３は、カン３１の挿入用幅広穴３４ａを通過可能であるが、係止用幅狭穴３４ｂを通過できない形状・サイズであり、首部５４は、挿入用幅広穴３４ａ及び係止用幅狭穴３４ｂの双方を通過できる形状・サイズである。
【００３０】
ヒンジ部５７は、ヒンジ構造を実現するために、ベロ５０の根元の折返し部５９で折り返された部分であり、根元側端部に形成された突起である返し爪５８を備えている。カン３１とベロ５０とを連結する際には、ヒンジ部５７がヒンジ用穴３６ａに通された後に、端部の返し爪５８がヒンジ用穴３６ｂに挿入され、ヒンジ部５７がカン３１に対して抜けないように係止される。
【００３１】
これにより、ベロ５０の根元部分のヒンジ部５７が、カン３１の根元部分のヒンジ軸３５の回りを周回して固定される。ここで、ヒンジ部５７の折返し部５９は、他の帯状片５１の部分よりも厚みが薄くなっており、ヒンジ軸３５近傍の折返し部５９を開閉軸（回動軸）として、ベロ５０はカン３１に対して開閉自在となる。すなわち、ベロ５０がカン３１に対してヒンジ構造により連結される（図１及び図２参照）。
【００３２】
このように、ヒンジ構造により連結されたカン３１とベロ５０とは、ベロ５０の係合凸部５２をカン３１の係止用穴３４に挿入して係止させることで、カン３１に対してベロ５０を閉じた状態で固定することができる。閉じる際に、カン３１とベロ５０との間にガーターストッキング８の上端開口の縁部を挟んでおくことで、ガーターストッキング８の上端にガーターボストン３０を留めることができる（図４参照）。
【００３３】
係合凸部５２を係止用穴３４に挿入する際には、ベロ５０を湾曲させながら係合凸部５２を根元側に移動させ、カン３１の挿入用幅広穴３４ａに頭部５３を斜めに挿入する。頭部５３は、係止用幅狭穴３４ｂ内には侵入できないが、首部５４まで挿入用幅広穴３４ａに挿入されると、首部５４は係止用幅狭穴３４ｂ内に進入できる。
【００３４】
このとき、頭部５３は、係止用穴３４を通り抜けてカン３１の反対側に飛び出している。よって、首部５４が係止用幅狭穴３４ｂ内に位置する状態で、係合凸部５２をカン３１の先端側にスライドさせると、係合凸部５２が係止用幅狭穴３４ｂの先端付近まで移動することができる。
【００３５】
係合凸部５２が係止用幅狭穴３４ｂの先端付近まで移動すると、係止用幅狭穴３４ｂ周囲の周枠３２が頭部５３と帯状片５１との間に挟まれており、係合凸部５２は、スライド方向のみに移動することができ、挿入用幅広穴３４ａまで移動しない限り、係止用穴３４から抜けることはない。
【００３６】
一方、このように閉じた状態で挟持されたガーターストッキング８の固定を解除する際には、係合凸部５２を係止用幅広穴３４ａまでスライドさせれば、係止用穴３４を貫通した頭部５３を抜くことができる。これにより、係止状態が解除され、ガーターボストン３０を開くことができる。
【００３７】
もちろん、ガーターストッキング８の開口縁を留めるための長靴下留め具は、ガーターボストン３０に限らず、筒所布部材の開口縁部を挟持するものであれば、他の構成を採用することできる。
【００３８】
続いて、ストッキング吊り具１の使用態様について説明する。ここでは、図４に示すように、右脚に装着されたガーターストッキング８を吊り上げるためにストッキング吊り具１を装着する場合について説明する。
【００３９】
ストッキング吊り具１の装着にあたっては、まず、牽引紐１０の腰回り輪１０ａの部分を腰回りに装着する。腰回り輪１０ａの装着は、腰回り輪１０ａの部分に設置されている着脱留め具１５を外して、腰回り輪１０ａの部分での連結状態を解除し、開いた部分から牽引紐１０の腰回り輪１０ａを腰の周囲に回す。この状態で、着脱留め具１５を連結して腰回り輪１０ａを閉じ、腰回り輪１０ａの部分を腰回りに装着する。
【００４０】
そして、ストッキング吊り具１の交差連結具２０が右脚の前面の中心から少し外側に寄った場所に位置するように、牽引紐１０の腰回り輪１０ａの位置を調整する（図４参照）。
【００４１】
続いて、牽引紐１０の太腿回り輪１０ｂの部分を右脚の太腿回りに装着する。太腿回り輪１０ｂの装着は、太腿回り輪１０ｂの部分に設置されている着脱留め具１５を外して、太腿回り輪１０ｂの部分での連結状態を解除し、開いた部分から牽引紐１０の太腿回り輪１０ｂを太腿の周囲に回す。この状態で、着脱留め具１５を連結して太腿回り輪１０ｂを閉じ、太腿回り輪１０ｂの部分を太腿回りに装着する。
【００４２】
このとき、太腿回り輪１０ｂが右脚に装着されているガーターストッキング８の上端開口付近に位置するように、太腿回り輪１０ｂの位置を調整する（図４参照）。その後、太腿回り輪１０ｂの部分に設置されている3個のガーターボストン３０によりガーターストッキング８の開口上端縁を挟み込む。
【００４３】
なお、牽引紐１０の装着時に、腰回り輪１０ａと太腿回り輪１０ｂの境界となる交差連結具２０が位置する交差部分が、骨盤の大転子の前側近傍に位置すると共に、腰回り輪１０ａの交差部分と逆側の部分が骨盤の腰椎の上側近傍に位置するように装着するのが望ましい。
【００４４】
このように装着すると、腰回り輪１０ａは、腰椎側から大転子側（交差部分側）に向けて斜め下方に傾斜した状態で人体に装着される。腰回り輪１０ａの腰椎側は、腰椎に引っ掛かることで下方にずり落ち難い。
【００４５】
また、牽引紐１０の交差部分は、交差部分から後側に向けて、斜め上方に延在する腰回り輪１０ａと斜め下方に延在する太腿回り輪１０ｂとの間に突起部である大転子が位置するため、上方や下方に移動し難い。また、大転子は股関節と近く、装着者が歩行や屈伸運動を行っても、大転子近傍の牽引紐１０はそれ程移動しない。よって、このように装着された牽引紐１０は、ずれることなく人体に対してしっかりと装着される。
【００４６】
また、ストッキング吊り具１の装着手順は適宜変更可能であるのは言うまでもない。例えば、先にガーターボストン３０によりガーターストッキング８の開口上端を挟み込んだ状態で、ガーターストッキング８を脚に装着し、その後、牽引紐１０の太腿回り輪１０ｂを太腿回りに、腰回り輪１０ａを腰回りに装着するようにしても良い。この場合には、さらに、脱ぐときにも着脱留め具１５を外すのみで、ガーターボストン３０は挟み込んだままにし、ストッキング吊り具１とガーターストッキング８とを連結したままで保管や洗濯等をしても良い。
【００４７】
また、着脱留め具１５を外さないで留めたままで、ストッキング吊り具１を着用したり脱いだりすることもできる。留めたままでストッキング吊り具１を穿く場合には、牽引紐１０の腰回り輪１０ａに両脚を通してから太腿回り輪１０ｂに片脚を通すようにすれば良い。また、腰回り輪１０ａの着脱留め具１５のみを外し、太腿回り輪１０ｂの着脱留め具１５は留めたままで着脱するようにしても良い。
【００４８】
以上により、図４に示すように、ガーターストッキング８を吊り上げるように右脚用のストッキング吊り具１が装着される。
【００４９】
本実施形態では、腰回り輪１０ａによって腰回りにしっかりと装着された牽引紐１０の太腿回り輪１０ｂに固定されたガーターボストン３０によって、ガーターストッキング８の上端開口縁部が挟持されて上方に吊り上げられるため、ガーターストッキング８が脚からずり落ちるのを確実に防止し、しっかりと脚に装着することができる。
【００５０】
また、本実施形態では、装着時に、牽引紐１０の交差部分の後側において、腰回り輪１０ａと太腿回り輪１０ｂとの間に大転子が位置しており、大転子を圧迫することができ、骨盤の歪みを矯正し、腰痛を抑えたりすることができる。このように、大転子を圧迫するためのサポーターとしてストッキング吊り具１をみた場合、牽引紐１０を腰回りに装着しているだけでは、装着者が体を動かすと牽引紐１０がずり上がって大転子の場所からずれてしまうが、本実施形態のように牽引紐１０によってガーターストッキング１を吊り上げるように装着することで、牽引紐１０のずり上がりを防止し、大転子を安定して圧迫することができる。
【００５１】
また、本実施形態においては、腰回り輪１０ａが腰回り長さ調整具１７を、太腿回り輪１０ｂが太腿回り長さ調整具１７をそれぞれ備えており、独立して長さを調整可能であるため、牽引紐１０による人体への締め付け力も適宜調整することができる。よって、牽引紐１０の装着位置や締め付け力を適宜変更することで、人体の所望の位置を所望の強さで圧迫することができ、適切な骨盤の歪み調整等を行うことができる。
【００５２】
続いて、図５を参照しながら、ストッキング吊り具１を両脚に装着する場合について説明する。片脚用のストッキング吊り具１は、左脚用、右脚用とで略同じ構成であり、どちらの脚にも用いることができる。図５は、図４に基づいて説明した装着方法と同じ方法により、左右の両脚にストッキング吊り具１を装着した状態を示している。
【００５３】
なお、ストッキング吊り具１を両脚に装着する場合には、図４や図５とは異なる状態で装着することも可能である。例えば、図４及び図５の装着方法では、腰回り輪１０ａが腰回りを一周しているのに対して、腰回り輪１０ａを装着者の右側又は左側において前後に往復させて、腰回りを半周させるように装着することもできる。
【００５４】
この場合には、左右のストッキング吊り具１の腰回り輪１０ａを、装着者の前側（腹側）及び後側（背中側）においてＸ状交差させて引っ掛けることで、左右の腰回り輪１０ａが一体となって腰回りを周回するように構成する。
【００５５】
以上、本発明の実施形態について説明したが、本発明の実施の形態は上記実施形態に限定されるものではなく、本発明の主旨を逸脱しない範囲内で種々の変形が可能である。例えば、ストッキング吊り具を構成する部材のサイズや形状、素材等は適宜変更可能であり、装着者の体型等に合わせて適宜変更すれば良い。
【００５６】
また、上記実施形態では、牽引紐として、ブラジャーの肩紐等として用いられている細いテープ状紐を用いているが、伸縮性のあるエナメルベルトや革製の紐等、適宜他の素材や形状の紐を用いても良い。
【００５７】
また、上記実施形態では、交差連結具としてエイトカンを用いているが、牽引紐をクロスした状態で連結する交差連結具として、他の構成の部材を用いても良い。また、上記実施形態では、ガーターボストンを牽引紐の太腿回り輪に対して直接固定して設置したが、太腿回り輪に対してぶら下げて設置しても良い。
【００５８】
また、本実施形態では、ストッキング吊り具により吊り上げる長靴下として、ガーターストッキングを例に挙げて説明したが、ハイソックス等の他の長靴下を吊り上げ対象とすることができる。
【符号の説明】
【００５９】
１      ストッキング吊り具
１０    牽引紐
１０ａ  腰回り輪
１０ｂ  太腿回り輪
１１    第一弾性紐
１２    第二弾性紐
１５    着脱留め具
１７    長さ調整具
２０    交差連結具
３０    ガーターボストン
３１    カン
３２    周枠
３３    横棹
３４    係止用穴
３４ａ  挿入用幅広穴
３４ｂ  係止用幅狭穴
３５    ヒンジ軸
３６    ヒンジ用穴
４０    横紐留め部
４１    第一縦桿
４２    第二縦桿
４３    第三縦桿
４４ａ  第一紐挿通穴
４４ｂ  第二紐挿通穴
５０    ベロ
５１    帯状片
５２    係合凸部
５３    頭部
５４    首部
５７    ヒンジ部
５８    返し爪
５９    折返し部
【図１】
2017014637.tif 000003
【図２】
2017014637.tif 000004
【図３】
2017014637.tif 000005
【図４】
2017014637.tif 000006
【図５】
2017014637.tif 000007